Podtech/llm-jp-corpus-v4-ja_patent huggingface dataset:
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
複数の平行なダイシング面に沿って分割されて２つ以上の導光光学素子（ＬＯＥ）を作製するように構成された中間作業生産物である光学的構造であって、各ＬＯＥが、本体を通る一般的な伝搬方向における入力光を、前記本体の主要な面からの光の全内面反射によって導くための光学的に透明な本体を含み、前記本体から出た前記入力光を１つ以上の出力方向にカップリングするための光導面を含むように構成され、前記光導面が、前記本体の前記主要な面から間隔を空けて、前記主要な面に関して所定の角度で傾斜して、前記本体の体積内に完全に埋め込まれ、前記光学的構造が、複数の光学的に透明な層のスタックとして構成されており、
前記光学的に透明な層の各々が、Ｘ−Ｚ平面内に配置された平面であって、平行な伸長方向を有する複数の細長い光導領域の表面パターンが設けられた平面を有しており、前記光導領域は、少なくともＸ軸に沿って間隔が空いてその間に光学的に透明な空間を含んでおり、
前記表面パターンの各々が、２つの隣接する層の間の界面に配置されて、前記層の前記パターンが、前記Ｘ軸およびＺ軸の１つに沿って所定のシフト値で隣接する層に対してシフトされるように、前記複数の層が、Ｙ軸に沿って１つを他の上に積み重ねられ、
複数の平行なダイシング面に沿ってＸ−Ｚ平面と交差して前記Ｘ−Ｚ平面と所定の角度を形成する前記光学的構造のダイシングが、前記光学的構造を前記Ｘ軸およびＺ軸の前記１つに沿って間隔の空いた複数のスライスに分割して、前記ＬＯＥの素子のための複数の本体を生成するように、前記光導領域の表面パターンおよび前記光学的に透明な空間が配置されており、前記本体の各々は、ＬＯＥの本体内に完全に埋め込まれている間隔の空いた平行な光導領域の内部のアレイを有して、前記ＬＯＥの本体の主要な面に対して前記所定の角度で傾斜していることを特徴とする光学的構造。
【請求項２】
請求項１に記載の光学的構造において、前記複数の層が、前記Ｘ軸およびＺ軸の前記１つに沿ったシフトを有してＹ軸に沿って１つが他の上に積み重なっていることにより、前記層のパターンが当該シフトを有して配置されるよう設けられていることを特徴とする光学的構造。
【請求項３】
請求項１に記載の光学的構造において、前記複数の層が、異なる厚さの少なくとも２つの層を有すること特徴とする光学的構造。
【請求項４】
請求項１に記載の光学的構造において、前記パターンの光導領域が、前記Ｘ軸およびＺ軸に沿って間隔を空けて配置されていることを特徴とする光学的構造。
【請求項５】
請求項１に記載の光学的構造において、前記光導面が、入力光に異なる影響を与える異なる光学特性を有する表面を含むことを特徴とする光学的構造。
【請求項６】
請求項１に記載の光学的構造において、前記光導領域が、反射および回折効果のうちの少なくとも１つによって光を導く領域を含むことを特徴とする光学的構造。
【請求項７】
請求項１に記載の光学的構造において、前記層のパターンが前記Ｘ軸に沿ってシフトされて配置されており、当該シフトは、前記Ｘ軸に沿った前記光導領域の間の最小間隔よりも値が小さいことを特徴とする光学的構造。
【請求項８】
請求項１に記載の光学的構造において、前記光導面が、前記ダイシング面の主要な面からほぼ等しい間隔を空けた複数の表面を含むことを特徴とする光学的構造。
【請求項９】
請求項１に記載の光学的構造において、前記光導面が、前記ダイシング面の主要な面から異なる間隔を空けている異なる寸法の複数の表面を含むことを特徴とする光学的構造。
【請求項１０】
主要な面を含み、本体を通る一般的な伝搬方向における入力光を前記主要な面からの光の全内面反射によって導くように構成された、光学的に透明な本体を含み、前記本体から出る前記入力光を１つ以上の出力方向に向けてカップリングするために構成されて、前記主要な面から間隔が空けられるように、前記本体の体積内に完全に埋め込まれている、少なくとも１つの光導面を保持する、光学的に透明な本体を含む、導光光学素子（ＬＯＥ）であって、前記ＬＯＥは：
請求項１に記載の光学的構造を提供するステップと、
Ｘ−Ｚ平面と交差して当該Ｘ−Ｚ平面と所定の角度を形成する複数のダイシング面に沿って前記光学的構造をダイシングするステップであって、前記光学的構造を前記Ｘ軸およびＺ軸の１つに沿って互いに間隔の空いた複数のスライスに分割することにより、前記ＬＯＥのための複数の本体を画定し、当該本体の各々が、ＬＯＥの本体内に完全に埋め込まれている間隔の空いた平行な光導領域の内部のアレイを有して、前記ＬＯＥの本体の主要な面に対して前記所定の角度で傾斜しているものであるステップと、
を含む方法によって製造されることを特徴とする方法。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
各キャラクタを定義するパラメータがプレイ状況に応じて変化後パラメータに変化するゲームを提供するゲームシステムであって、
各キャラクタの前記変化後パラメータを特定するために各キャラクタの前記変化後パラメータ毎にユニークな特定情報と当該変化後パラメータの情報とが関連付けられるように記述されたパラメータデータを記憶するデータ記憶手段と、
各キャラクタが単独で所定条件を満たした場合に、当該所定条件を満たした単独のキャラクタとしての特定キャラクタの前記パラメータを特定する内容特定手段と、
前記内容特定手段の特定結果に基づいて、前記特定キャラクタとは別のキャラクタに対応する前記特定情報を新しく付与することにより当該別のキャラクタを新しく生成し、かつ当該別のキャラクタに対応する前記特定情報に前記特定キャラクタの前記変化後パラメータの一部を当該一部の複製及び減少によって関連付けて、前記パラメータデータを更新するデータ更新手段と、
を備える、ゲームシステム。
【請求項２】
各キャラクタを定義するパラメータがプレイ状況に応じて変化後パラメータに変化するゲームを提供するゲームシステムに組み込まれるコンピュータを、
各キャラクタの前記変化後パラメータを特定するために各キャラクタの前記変化後パラメータ毎にユニークな特定情報と当該変化後パラメータの情報とが関連付けられるように記述されたパラメータデータを記憶するデータ記憶手段、
各キャラクタが単独で所定条件を満たした場合に、当該所定条件を満たした単独のキャラクタとしての特定キャラクタの前記パラメータを特定する内容特定手段、
前記内容特定手段の特定結果に基づいて、前記特定キャラクタとは別のキャラクタに対応する前記特定情報を新しく付与することにより当該別のキャラクタを新しく生成し、かつ当該別のキャラクタに対応する前記特定情報に前記特定キャラクタの前記変化後パラメータの一部を当該一部の複製及び減少によって関連付けて、前記パラメータデータを更新するデータ更新手段、
として機能させる、コンピュータプログラム。
【請求項３】
各キャラクタを定義するパラメータがプレイ状況に応じて変化後パラメータに変化するゲームを提供するゲームシステムに組み込まれるコンピュータに、
各キャラクタの前記変化後パラメータを特定するために各キャラクタの前記変化後パラメータ毎にユニークな特定情報と当該変化後パラメータの情報とが関連付けられるように記述されたパラメータデータを記憶するデータ記憶手順と、
各キャラクタが単独で所定条件を満たした場合に、当該所定条件を満たした単独のキャラクタとしての特定キャラクタの前記パラメータを特定する内容特定手順と、
前記内容特定手順の特定結果に基づいて、前記特定キャラクタとは別のキャラクタに対応する前記特定情報を新しく付与することにより当該別のキャラクタを新しく生成し、かつ当該別のキャラクタに対応する前記特定情報に前記特定キャラクタの前記変化後パラメータの一部を当該一部の複製及び減少によって関連付けて、前記パラメータデータを更新するデータ更新手順と、
を実行させる、制御方法。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
印刷システムであって、
複数のプリントヘッドであって、前記複数のプリントヘッド内の各プリントヘッドが、マーキング材料を吐出するように構成される、プリントヘッドと、
第１の端部と第２の端部とを有する部材であって、前記複数のプリントヘッドが、前記部材の反対で、前記部材の前記第１の端部と前記第２の端部との間に位置付けられている、複数のプリントヘッドと、
オブジェクトを保持し、前記部材の前記第１の端部と前記第２の端部との間で前記部材に沿って移動するように構成されたホルダと、
前記ホルダに動作可能に接続され、前記部材に沿って前記ホルダを移動させて、前記オブジェクトが前記プリントヘッドを通過し、前記複数のプリントヘッド内の前記プリントヘッドからマーキング材料を受け取ることを可能にする、第１のアクチュエータと、
前記ホルダに動作可能に接続され、前記部材に対して垂直に、かつ前記部材に対して平行な平面内で前記ホルダを移動させることを可能にする、第２のアクチュエータと、
前記部材の前記第１の端部と前記複数のプリントヘッドとの間に位置付けられた撮像装置であって、前記撮像装置が、前記撮像装置に対向する前記オブジェクトの一部の一連の画像を生成するように構成される、撮像装置と、
前記部材の前記第１の端部と前記複数のプリントヘッドとの間に位置付けられた画像プロジェクタであって、前記画像プロジェクタが、前記撮像装置に対向する前記オブジェクトの部分に画像を位置させるように構成される、画像プロジェクタと、
前記撮像装置に動作可能に接続され、前記撮像装置からの前記一連の画像を受信するユーザインターフェースであって、前記ユーザインターフェースが、オペレータが前記第１のアクチュエータ及び前記第２のアクチュエータを動作させて、前記撮像装置に対向するＸ−Ｙ平面内での前記オブジェクトの位置を調整することを可能にするように構成される、ユーザインターフェースと、
前記複数のプリントヘッド、前記第１のアクチュエータ、前記第２のアクチュエータ、前記画像形成装置、前記画像プロジェクタ、及び前記ユーザインターフェースに動作可能に接続されたコントローラであって、前記コントローラが、前記第１のアクチュエータを、前記ホルダ及び前記オブジェクトを前記部材の前記第１の端と前記第２の端との間で前記部材に沿って動かすように動作させ、前記画像プロジェクタを、前記オブジェクの前記一部の上に画像を形成するように動作させ、前記撮像装置を、前記オブジェクト上に前記画像の前記一連の画像を生成するように動作させ、前記ユーザインターフェースから、印刷のために選択された印刷画像に対する前記オブジェクトの前記位置を示す信号を受信し、前記ユーザインターフェースから、前記オブジェクト上の前記画像の歪曲を特定するデータを受信し、前記複数のプリントヘッドの前記プリントヘッド内部のイジェクタを、前記画像プロジェクタからの前記画像の前記歪曲を特定する前記データを参照して、動作させ、前記オブジェクト上に着色剤で画像を形成するように構成される、コントローラと、を備える、印刷システム。
【請求項２】
前記撮像装置が、一連のビデオ画像を前記ユーザインターフェースに配信するために、前記ユーザインターフェースに動作可能に接続されたカメラである、請求項１に記載の印刷システム。
【請求項３】
前記画像プロジェクタが、前記オブジェクト上に赤外材料を吐出し、前記赤外材料で前記オブジェクト上に前記画像を形成するように構成された前記複数のプリントヘッド内のプリントヘッドであり、
前記カメラが、赤外線撮像用に構成される、請求項２に記載の印刷システム。
【請求項４】
前記画像プロジェクタが、前記オブジェクトが前記カメラの視界とともにある間、前記オブジェクト上に光画像を向けることを可能にするように位置付けられた光プロジェクタである、請求項２に記載の印刷システム。
【請求項５】
ＵＶ領域内の光を放出して、前記複数のプリントヘッド内の前記プリントヘッドのうちの少なくとも１つから吐出されたＵＶ硬化性マーキング材料を硬化させるように構成された紫外線（ＵＶ）ランプをさらに含み、
前記コントローラが、前記ＵＶランプに動作可能に接続され、前記コントローラが、前記ＵＶランプを動作させて、前記プリントヘッドのうちの少なくとも１つによって前記オブジェクト上に吐出されたＵＶインクを硬化するようにさらに構成される、請求項２に記載の印刷システム。
【請求項６】
前記コントローラが、前記アクチュエータを、前記ホルダ及び前記オブジェクトを前記カメラに対向して維持するように動作させ、前記オブジェクトの一部が前記画像に対して選択されることを可能にし、前記第１のアクチュエータを、前記オブジェクトの前記選択された部分を、赤外材料を吐出している前記プリントヘッドに対向して移動させるように動作させ、前記プリントヘッドを、前記オブジェクトの前記選択された部分上に前記赤外材料を吐出するように動作させ、前記第１のアクチュエータを、前記オブジェクトの前記部分を前記撮像装置の反対側に移動させ、前記赤外材料画像の前記撮像装置によって生成された前記一連の画像が、前記ユーザインターフェースに送られることを可能にするように動作させるようにさらに構成される、請求項３に記載の印刷システム。
【請求項７】
前記ユーザインターフェースが、前記画像歪曲を、樽形歪曲、ピンクッション歪曲、陣笠型歪曲、及びキーストーン歪曲のうちの１つとして識別するデータとして、前記画像歪曲を識別するデータを生成するように構成される、請求項１に記載の印刷システム。
【請求項８】
前記ホルダに動作可能に接続された第３のアクチュエータであって、前記アクチュエータが、前記撮像装置と前記オブジェクトとの間に延在するＺ軸を中心として前記オブジェクトを回転させるように構成される、第３のアクチュエータをさらに含み、
前記ユーザインターフェースが、第３のアクチュエータに動作可能に接続され、前記オブジェクトをＺ軸を中心として回転させる制御装置を含む、請求項１に記載の印刷システム。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
発電を行うディーゼル発電機と、有機熱媒体を熱源として発電を行う有機ランキンサイクルシステムと、二次電池と、制御装置と、を備え、
前記制御装置は、前記ディーゼル発電機、前記有機ランキンサイクルシステム及び前記二次電池を組み合わせて船内需要電力を賄うように制御を行う舶用電源システムであって、
前記ディーゼル発電機は、平均船内需要電力に対して負荷率が６０％以上９０％以下であり、
前記制御装置は、船内需要電力が前記ディーゼル発電機及び前記有機ランキンサイクルシステムの合計出力を超えない場合に余剰分の電力を前記二次電池に充電するように制御を行い、前記船内需要電力が前記ディーゼル発電機及び前記有機ランキンサイクルシステムの合計出力を超える場合に前記二次電池に蓄電された前記電力を放電するように制御を行う舶用電源システム。
【請求項２】
発電を行うディーゼル発電機と、有機熱媒体を熱源として発電を行う有機ランキンサイクルシステムと、二次電池と、制御装置と、を備え、
前記制御装置は、前記ディーゼル発電機、前記有機ランキンサイクルシステム及び前記二次電池を組み合わせて船内需要電力を賄うように制御を行う舶用電源システムであって、
前記ディーゼル発電機は、メインディーゼル発電機よりも出力が小さい発電機であり、
前記制御装置は、船内需要電力が前記ディーゼル発電機及び前記有機ランキンサイクルシステムの合計出力を超えない場合に余剰分の電力を前記二次電池に充電するように制御を行い、前記船内需要電力が前記ディーゼル発電機及び前記有機ランキンサイクルシステムの合計出力を超える場合に前記二次電池に蓄電された前記電力を放電するように制御を行う舶用電源システム。
【請求項３】
前記制御装置は、前記ディーゼル発電機及び前記有機ランキンサイクルシステムの出力を一定に制御する請求項２に記載の舶用電源システム。
【請求項４】
前記制御装置は、船内需要電力の増減に応じて前記ディーゼル発電機の発停を切り替える制御を行う請求項２に記載の舶用電源システム。
【請求項５】
前記制御装置は、燃費効率がよいとされる負荷率である高負荷率で前記ディーゼル発電機を運転できる期間のみ前記ディーゼル発電機を運転するように前記ディーゼル発電機の発停を切り替える制御を行う請求項４に記載の舶用電源システム。
【請求項６】
前記ディーゼル発電機は、停泊用エンジンである請求項１から請求項５のいずれか一項に記載の舶用電源システム。
【請求項７】
請求項１から請求項６のいずれか一項に記載の舶用電源システムを備えた船舶。
【請求項８】
ディーゼル発電機、有機ランキンサイクルシステム及び二次電池を組み合わせて船内需要電力を賄うように制御を行う舶用電源システムの制御方法であって、
平均船内需要電力に対してディーゼル発電機の負荷率が６０％以上９０％以下となるように制御する工程と、
船内需要電力が前記ディーゼル発電機及び前記有機ランキンサイクルシステムの合計出力を超えない場合に、余剰分の電力を二次電池に充電するように制御する工程と、
前記船内需要電力が前記ディーゼル発電機及び前記有機ランキンサイクルシステムの前記合計出力を超える場合に、前記二次電池に蓄電された前記電力を放電するように制御する工程と、
を有する舶用電源システムの制御方法。
【請求項９】
ディーゼル発電機、有機ランキンサイクルシステム及び二次電池を組み合わせて船内需要電力を賄うように制御を行う舶用電源システムの制御プログラムであって、
平均船内需要電力に対してディーゼル発電機の負荷率が６０％以上９０％以下となるように制御するステップと、
船内需要電力が前記ディーゼル発電機及び前記有機ランキンサイクルシステムの合計出力を超えない場合に、余剰分の電力を二次電池に充電するように制御するステップと、
前記船内需要電力が前記ディーゼル発電機及び前記有機ランキンサイクルシステムの前記合計出力を超える場合に、前記二次電池に蓄電された前記電力を放電するように制御するステップと、
を有する舶用電源システムの制御プログラム。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数種類の表示を表示可能な表示手段を備える遊技機であって、
前記複数種類の表示のうちの一つは、第１の態様で表示される場合があり、
前記複数種類の表示のうちの一つは、第２の態様で表示される場合があり、
前記第１の態様の表示は、第１の指標を表す表示と第２の指標を表す表示とを含み、
前記第２の態様の表示は、第１の指標を表す表示と第２の指標を表す表示とを含み、
前記第１の指標は、第１の形式で大当たり期待度を表す指標であり、
前記第２の指標は、前記第１の形式とは異なる第２の形式で大当たり期待度を表す指標であり、
前記第１の態様の前記第１の指標は、前記第２の態様の前記第１の指標とは大当たり期待度が異なるように表され、かつ、前記第１の態様の前記第２の指標は、前記第２の態様の前記第２の指標とは大当たり期待度が異なるように表され、
前記第１の態様の表示と前記第２の態様の表示とを含む所定の演出が行われる場合があり、
前記所定の演出は、前記第１の態様の表示がおこなわれた後に、前記第２の態様の表示がおこなわれ、前記第２の態様の表示がおこなわれた後に、前記第１の態様の表示と、前記第２の態様の表示とを含む複数の態様の表示から一つの態様の表示を選択する選択演出がおこなわれ、
前記選択演出を行う場合には、前記第１の態様の表示が表示されているときには当該第１の態様の表示以外の前記複数の態様の表示に含まれる指標は表示されず、前記第２の態様の表示が表示されているときには当該第２の態様の表示以外の前記複数の態様の表示に含まれる指標は表示されない、
ことを特徴とする遊技機。
【手続補正２】
【補正対象書類名】明細書
【補正対象項目名】０００８
【補正方法】変更
【補正の内容】
【０００８】
[適用例１]
複数種類の表示を表示可能な表示手段を備える遊技機であって、
前記複数種類の表示のうちの一つは、第１の態様で表示される場合があり、
前記複数種類の表示のうちの一つは、第２の態様で表示される場合があり、
前記第１の態様の表示は、第１の指標を表す表示と第２の指標を表す表示とを含み、
前記第２の態様の表示は、第１の指標を表す表示と第２の指標を表す表示とを含み、
前記第１の指標は、第１の形式で大当たり期待度を表す指標であり、
前記第２の指標は、前記第１の形式とは異なる第２の形式で大当たり期待度を表す指標であり、
前記第１の態様の前記第１の指標は、前記第２の態様の前記第１の指標とは大当たり期待度が異なるように表され、かつ、前記第１の態様の前記第２の指標は、前記第２の態様の前記第２の指標とは大当たり期待度が異なるように表され、
前記第１の態様の表示と前記第２の態様の表示とを含む所定の演出が行われる場合があり、
前記所定の演出は、前記第１の態様の表示がおこなわれた後に、前記第２の態様の表示がおこなわれ、前記第２の態様の表示がおこなわれた後に、前記第１の態様の表示と、前記第２の態様の表示とを含む複数の態様の表示から一つの態様の表示を選択する選択演出がおこなわれ、
前記選択演出を行う場合には、前記第１の態様の表示が表示されているときには当該第１の態様の表示以外の前記複数の態様の表示に含まれる指標は表示されず、前記第２の態様の表示が表示されているときには当該第２の態様の表示以外の前記複数の態様の表示に含まれる指標は表示されない、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
可動式役物と表示手段とを備える遊技機であって、
前記可動式役物は、第１の役物演出をおこなう場合があり、
前記第１の役物演出は、前記可動式役物の状態を第１の状態から第２の状態にさせる役物演出であり、
前記第１の状態は、前記可動式役物が第１の位置にある状態であり、
前記第２の状態は、前記可動式役物が前記第１の位置とは異なる位置であって前記表示手段よりも前方に位置する第２の位置にある状態であり、かつ、遊技者から見て前記可動式役物が前記表示手段の第１の領域と重なり、前記表示手段の第２の領域と重ならない位置にある状態であり、
前記表示手段は、複数の表示演出を実行可能であり、
前記複数の表示演出のうちの一つの演出として、第１の表示演出をおこなう場合があり、
前記複数の表示演出のうちの一つの演出として、第２の表示演出をおこなう場合があり、
前記第１の表示演出は、リーチ演出であり、
前記第２の表示演出は、前記第１の表示演出後におこなわれ、前記表示手段において前記第２の領域を含む領域に大当たりを表す大当たり図柄配列を表示する演出であり、
前記表示演出と前記役物演出を組み合わせた組み合わせ演出がおこなわれる場合があり、
前記組み合わせ演出では、前記第１の表示演出がおこなわれ、前記第１の役物演出がおこなわれ、その後、前記第１の役物演出における前記可動式役物が前記第２の状態である場合に前記第２の表示演出がおこなわれる、
ことを特徴とする遊技機。
【手続補正２】
【補正対象書類名】明細書
【補正対象項目名】０００８
【補正方法】変更
【補正の内容】
【０００８】
[適用例１]
可動式役物と表示手段とを備える遊技機であって、
前記可動式役物は、第１の役物演出をおこなう場合があり、
前記第１の役物演出は、前記可動式役物の状態を第１の状態から第２の状態にさせる役物演出であり、
前記第１の状態は、前記可動式役物が第１の位置にある状態であり、
前記第２の状態は、前記可動式役物が前記第１の位置とは異なる位置であって前記表示手段よりも前方に位置する第２の位置にある状態であり、かつ、遊技者から見て前記可動式役物が前記表示手段の第１の領域と重なり、前記表示手段の第２の領域と重ならない位置にある状態であり、
前記表示手段は、複数の表示演出を実行可能であり、
前記複数の表示演出のうちの一つの演出として、第１の表示演出をおこなう場合があり、
前記複数の表示演出のうちの一つの演出として、第２の表示演出をおこなう場合があり、
前記第１の表示演出は、リーチ演出であり、
前記第２の表示演出は、前記第１の表示演出後におこなわれ、前記表示手段において前記第２の領域を含む領域に大当たりを表す大当たり図柄配列を表示する演出であり、
前記表示演出と前記役物演出を組み合わせた組み合わせ演出がおこなわれる場合があり、
前記組み合わせ演出では、前記第１の表示演出がおこなわれ、前記第１の役物演出がおこなわれ、その後、前記第１の役物演出における前記可動式役物が前記第２の状態である場合に前記第２の表示演出がおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数種類の表示を表示可能な表示手段を備える遊技機であって、
前記複数種類の表示のうちの一つの表示は、或る表示であり、
前記或る表示は、大当たり抽選に当選した場合に行われる表示であり、
第１の態様で前記或る表示が表示される場合があり、
第２の態様で前記或る表示が表示される場合があり、
第３の態様で前記或る表示が表示される場合があり、
第４の態様で前記或る表示が表示される場合があり、
前記第１の態様は、タイマ表示を含む態様であり、
前記第２の態様は、大当たりに基づく大当たり遊技中に払い出し予定の遊技媒体数を示唆する払出予定数示唆表示を含む態様であり、
前記第３の態様は、装飾図柄を用いた大当たり図柄配列を含む態様であり、
前記第４の態様は、操作部を表す操作部画像を含む態様であり、
前記或る表示は、前記第３の態様で表示された後に、前記第１の態様で表示され、大当たり遊技が始まる前において、前記第１の態様における前記タイマ表示の動作が終了したことに基づいて、前記第４の態様で表示され、その後、前記第２の態様で表示される場合がある表示である、
ことを特徴とする遊技機。
【手続補正２】
【補正対象書類名】明細書
【補正対象項目名】０００８
【補正方法】変更
【補正の内容】
【０００８】
[適用例１]
複数種類の表示を表示可能な表示手段を備える遊技機であって、
前記複数種類の表示のうちの一つの表示は、或る表示であり、
前記或る表示は、大当たり抽選に当選した場合に行われる表示であり、
第１の態様で前記或る表示が表示される場合があり、
第２の態様で前記或る表示が表示される場合があり、
第３の態様で前記或る表示が表示される場合があり、
第４の態様で前記或る表示が表示される場合があり、
前記第１の態様は、タイマ表示を含む態様であり、
前記第２の態様は、大当たりに基づく大当たり遊技中に払い出し予定の遊技媒体数を示唆する払出予定数示唆表示を含む態様であり、
前記第３の態様は、装飾図柄を用いた大当たり図柄配列を含む態様であり、
前記第４の態様は、操作部を表す操作部画像を含む態様であり、
前記或る表示は、前記第３の態様で表示された後に、前記第１の態様で表示され、大当たり遊技が始まる前において、前記第１の態様における前記タイマ表示の動作が終了したことに基づいて、前記第４の態様で表示され、その後、前記第２の態様で表示される場合がある表示である、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数の演出を表示可能な表示手段を備える遊技機であって、
前記複数の演出のうちの一つの演出として、第１の演出をおこなう場合があり、
前記複数の演出のうちの一つの演出として、第２の演出をおこなう場合があり、
前記複数の演出のうちの一つの演出として、第３の演出をおこなう場合があり、
前記第１の演出は、第１の位置に第１の画像を表示し、前記第１の位置とは異なる第２の位置に第２の画像を表示する演出であり、
前記第２の画像は、前記第１の画像とは輪郭形状が異なり、かつ、内側において前記第１の画像の輪郭形状と一致する形状を含まない画像であり、
前記第２の演出は、前記第１の演出の後におこなわれ、前記第１の画像または前記第２の画像の少なくとも一方を移動させて、前記第１の画像を前記第２の画像の内側に配置させた後、前記第１の画像と前記第２の画像とを互いの画像の輪郭形状が一致する部分が無いように合体させて、前記第１の画像、および、前記第２の画像とは異なる第３の画像が生成される演出であり、
前記第２の演出で前記第３の画像が生成されたことに基づいて、前記第３の演出がおこなわれる、
ことを特徴とする遊技機。
【手続補正２】
【補正対象書類名】明細書
【補正対象項目名】０００８
【補正方法】変更
【補正の内容】
【０００８】
[適用例１]
前記複数の演出のうちの一つの演出として、第１の演出をおこなう場合があり、
前記複数の演出のうちの一つの演出として、第２の演出をおこなう場合があり、
前記複数の演出のうちの一つの演出として、第３の演出をおこなう場合があり、
前記第１の演出は、第１の位置に第１の画像を表示し、前記第１の位置とは異なる第２の位置に第２の画像を表示する演出であり、
前記第２の画像は、前記第１の画像とは輪郭形状が異なり、かつ、内側において前記第１の画像の輪郭形状と一致する形状を含まない画像であり、
前記第２の演出は、前記第１の演出の後におこなわれ、前記第１の画像または前記第２の画像の少なくとも一方を移動させて、前記第１の画像を前記第２の画像の内側に配置させた後、前記第１の画像と前記第２の画像とを互いの画像の輪郭形状が一致する部分が無いように合体させて、前記第１の画像、および、前記第２の画像とは異なる第３の画像が生成される演出であり、
前記第２の演出で前記第３の画像が生成されたことに基づいて、前記第３の演出がおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数の演出を表示可能な表示手段を備える遊技機であって、
前記複数の演出のうちの一つの演出として、第１の演出をおこなう場合があり、
前記複数の演出のうちの一つの演出として、第２の演出をおこなう場合があり、
前記複数の演出のうちの一つの演出として、第３の演出をおこなう場合があり、
前記第１の演出は、第１の位置に第１の画像を表示し、前記第１の位置とは異なる第２の位置に第２の画像を表示する演出であり、
前記第２の演出は、前記第１の演出の後におこなわれ、前記第１の画像と前記第２の画像とを移動させた後、前記第１の画像の輪郭形状と前記第２の画像の輪郭形状とが残存するように合体させて、第３の画像が生成される演出であり、
前記第２の演出で前記第３の画像が生成されたことに基づいて、前記第３の演出がおこなわれる、
ことを特徴とする遊技機。
【手続補正２】
【補正対象書類名】明細書
【補正対象項目名】０００８
【補正方法】変更
【補正の内容】
【０００８】
[適用例１]
複数の演出を表示可能な表示手段を備える遊技機であって、
前記複数の演出のうちの一つの演出として、第１の演出をおこなう場合があり、
前記複数の演出のうちの一つの演出として、第２の演出をおこなう場合があり、
前記複数の演出のうちの一つの演出として、第３の演出をおこなう場合があり、
前記第１の演出は、第１の位置に第１の画像を表示し、前記第１の位置とは異なる第２の位置に第２の画像を表示する演出であり、
前記第２の演出は、前記第１の演出の後におこなわれ、前記第１の画像と前記第２の画像とを移動させた後、前記第１の画像の輪郭形状と前記第２の画像の輪郭形状とが残存するように合体させて、第３の画像が生成される演出であり、
前記第２の演出で前記第３の画像が生成されたことに基づいて、前記第３の演出がおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数種類の表示を表示可能な表示手段を備える遊技機であって、
前記複数種類の表示のうちの一つの表示は、大当たり遊技中における或る表示であり、
第１の態様で前記或る表示が表示される場合があり、
第２の態様で前記或る表示が表示される場合があり、
第３の態様で前記或る表示が表示される場合があり、
前記第２の態様は、大当たり遊技後の遊技状態が遊技者にとって比較的不利な第１の遊技状態であることを示唆する表示を含む態様であり、
前記第３の態様は、大当たり遊技後の遊技状態が遊技者にとって比較的有利な第２の遊技状態であることを示唆する表示を含む態様であり、
前記第１の態様は、前記第２の遊技状態で大当りした特定の大当り遊技が終了するタイミングで表示しているものであり、前記第１の遊技状態で大当りしてから前記特定の大当り遊技が終了するまでの大当り遊技における獲得遊技媒体数を表す表示を含む態様であり、
前記或る表示は、第１のパターンと第２のパターンとを含む複数のパターンのうちの一つのパターンでおこなわれる表示であり、
前記或る表示は、前記第１のパターンとして、大当たり遊技中において、前記第２の態様で表示された後に前記第１の態様で表示される場合がある表示であり、
前記或る表示は、前記第２のパターンとして、大当たり遊技中において、前記第２の態様で表示された後に前記第１の態様で表示され、さらに、前記第３の態様で表示される場合がある表示である、
ことを特徴とする遊技機。
【手続補正２】
【補正対象書類名】明細書
【補正対象項目名】０００８
【補正方法】変更
【補正の内容】
【０００８】
[適用例１]
複数種類の表示を表示可能な表示手段を備える遊技機であって、
前記複数種類の表示のうちの一つの表示は、大当たり遊技中における或る表示であり、
第１の態様で前記或る表示が表示される場合があり、
第２の態様で前記或る表示が表示される場合があり、
第３の態様で前記或る表示が表示される場合があり、
前記第２の態様は、大当たり遊技後の遊技状態が遊技者にとって比較的不利な第１の遊技状態であることを示唆する表示を含む態様であり、
前記第３の態様は、大当たり遊技後の遊技状態が遊技者にとって比較的有利な第２の遊技状態であることを示唆する表示を含む態様であり、
前記第１の態様は、前記第２の遊技状態で大当りした特定の大当り遊技が終了するタイミングで表示しているものであり、前記第１の遊技状態で大当りしてから前記特定の大当り遊技が終了するまでの大当り遊技における獲得遊技媒体数を表す表示を含む態様であり、
前記或る表示は、第１のパターンと第２のパターンとを含む複数のパターンのうちの一つのパターンでおこなわれる表示であり、
前記或る表示は、前記第１のパターンとして、大当たり遊技中において、前記第２の態様で表示された後に前記第１の態様で表示される場合がある表示であり、
前記或る表示は、前記第２のパターンとして、大当たり遊技中において、前記第２の態様で表示された後に前記第１の態様で表示され、さらに、前記第３の態様で表示される場合がある表示である、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
複数種類の画像を表示可能な表示手段と、を備えた遊技機であって、
前記複数種類の画像のうちの一つは、前記操作手段の外観を表す第１の画像であり、
前記複数種類の画像のうちの一つは、前記操作手段の外観を表す第２の画像であり、
前記複数種類の画像のうちの一つは、前記操作手段の外観を表す第３の画像であり、
前記複数種類の画像のうちの一つは、装飾図柄であり、
前記装飾図柄が表示されている状態において、前記表示手段の第１の位置に前記第１の画像が表示され、前記第１の画像から第１の方向に離れた第２の位置に前記第２の画像が表示されていない状態から、前記第２の位置に、前記第１の画像よりも大きい前記第２の画像が前記第１の画像に対して傾いて表示される第１の演出と、前記第１の演出の後、前記第１の画像と、前記第１の画像よりも大きく前記第１の画像に対して傾いた状態の前記第２の画像とが表示された状態から、前記第２の画像が前記表示手段から消えて、前記第１の画像から第２の方向に離れた第３の位置に前記第１の画像よりも大きい前記第３の画像が前記第１の画像に対して傾かずに表示される第２の演出と、を実行可能な
ことを特徴とする遊技機。
【手続補正２】
【補正対象書類名】明細書
【補正対象項目名】０００８
【補正方法】変更
【補正の内容】
【０００８】
[適用例１]
遊技者が操作可能な操作手段と、
複数種類の画像を表示可能な表示手段と、を備えた遊技機であって、
前記複数種類の画像のうちの一つは、前記操作手段の外観を表す第１の画像であり、
前記複数種類の画像のうちの一つは、前記操作手段の外観を表す第２の画像であり、
前記複数種類の画像のうちの一つは、前記操作手段の外観を表す第３の画像であり、
前記複数種類の画像のうちの一つは、装飾図柄であり、
前記装飾図柄が表示されている状態において、前記表示手段の第１の位置に前記第１の画像が表示され、前記第１の画像から第１の方向に離れた第２の位置に前記第２の画像が表示されていない状態から、前記第２の位置に、前記第１の画像よりも大きい前記第２の画像が前記第１の画像に対して傾いて表示される第１の演出と、前記第１の演出の後、前記第１の画像と、前記第１の画像よりも大きく前記第１の画像に対して傾いた状態の前記第２の画像とが表示された状態から、前記第２の画像が前記表示手段から消えて、前記第１の画像から第２の方向に離れた第３の位置に前記第１の画像よりも大きい前記第３の画像が前記第１の画像に対して傾かずに表示される第２の演出と、を実行可能な
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
複数種類の画像を表示可能な表示手段と、を備えた遊技機であって、
前記複数種類の画像のうちの一つは、前記操作手段の外観を表す所定画像であり、
前記所定画像のうち、前記操作手段の一方の端部に対応する部分が前記表示手段からはみ出た状態となるように前記所定画像の一部分が表示される第１の表示と、前記第１の表示の後、前記所定画像のうち、前記操作手段の他方の端部に対応する部分が前記表示手段からはみ出た状態となるように前記所定画像の一部分が表示される第２の表示と、を実行可能であり、
前記第２の表示において、前記表示手段には、前記操作手段の操作受付期間を表す受付有効期間画像が表示され、前記第１の表示において、前記表示手段には前記受付有効期間画像が表示されない、
ことを特徴とする遊技機。
【手続補正２】
【補正対象書類名】明細書
【補正対象項目名】０００８
【補正方法】変更
【補正の内容】
【０００８】
[適用例１]
遊技者が操作可能な操作手段と、
複数種類の画像を表示可能な表示手段と、を備えた遊技機であって、
前記複数種類の画像のうちの一つは、前記操作手段の外観を表す所定画像であり、
前記所定画像のうち、前記操作手段の一方の端部に対応する部分が前記表示手段からはみ出た状態となるように前記所定画像の一部分が表示される第１の表示と、前記第１の表示の後、前記所定画像のうち、前記操作手段の他方の端部に対応する部分が前記表示手段からはみ出た状態となるように前記所定画像の一部分が表示される第２の表示と、を実行可能であり、
前記第２の表示において、前記表示手段には、前記操作手段の操作受付期間を表す受付有効期間画像が表示され、前記第１の表示において、前記表示手段には前記受付有効期間画像が表示されない、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
複数種類の画像を表示可能な表示手段と、を備えた遊技機であって、
前記複数種類の画像のうちの一つは、前記操作手段の外観を表す第１の画像であり、
前記複数種類の画像のうちの一つは、前記操作手段の操作受付期間を表す第２の画像であり、
前記第１の画像のうち、前記操作手段の少なくとも一方の端部に対応する部分が前記表示手段からはみ出た状態となるように前記第１の画像の一部分が前記表示手段に表示され、前記表示手段に前記第２の画像が表示されていない第１の演出と、
前記第１の演出の後、前記操作手段の少なくとも一方の端部に対応する部分が前記表示手段からはみ出た状態となるように前記第１の画像の一部分が前記表示手段に表示された状態で、前記表示手段に前記第２の画像が表示される第２の演出と、を実行可能であり、
前記第２の演出において、前記第２の画像は前記第１の画像に重なって表示される
ことを特徴とする遊技機。
【手続補正２】
【補正対象書類名】明細書
【補正対象項目名】０００８
【補正方法】変更
【補正の内容】
【０００８】
[適用例１]
遊技者が操作可能な操作手段と、
複数種類の画像を表示可能な表示手段と、を備えた遊技機であって、
前記複数種類の画像のうちの一つは、前記操作手段の外観を表す第１の画像であり、
前記複数種類の画像のうちの一つは、前記操作手段の操作受付期間を表す第２の画像であり、
前記第１の画像のうち、前記操作手段の少なくとも一方の端部に対応する部分が前記表示手段からはみ出た状態となるように前記第１の画像の一部分が前記表示手段に表示され、前記表示手段に前記第２の画像が表示されていない第１の演出と、
前記第１の演出の後、前記操作手段の少なくとも一方の端部に対応する部分が前記表示手段からはみ出た状態となるように前記第１の画像の一部分が前記表示手段に表示された状態で、前記表示手段に前記第２の画像が表示される第２の演出と、を実行可能であり、
前記第２の演出において、前記第２の画像は前記第１の画像に重なって表示される
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数の保留アイコンを表示可能な表示手段を備えた遊技機であって、
各保留アイコンが表示されるそれぞれの表示領域に第１の表示と第２の表示の一方を表示可能であり、
前記第１の表示が表示されている前記表示領域には、前記保留アイコンが表示可能であり、
前記第２の表示が表示されている前記表示領域では、前記保留アイコンが見えなくなり、
前記第１の表示が表示されている２つの前記表示領域のそれぞれに前記保留アイコンが表示された後、前記２つの表示領域のうち、一方の表示領域で前記保留アイコンの表示が継続している状態で、前記２つの表示領域のうち、他方の表示領域において、前記表示領域の表示が前記第１の表示から前記第２の表示に切り替わり、前記保留アイコンが見えなくなる第１の演出と、
前記第１の演出の後、前記一方の表示領域で前記保留アイコンの表示が継続している状態で、前記他方の表示領域の表示が前記第２の表示から前記第１の表示に切り替わり、見えなくなった前記保留アイコンが特別な態様となって再度表示される第２の演出と、を実行可能な
ことを特徴とする遊技機。
【手続補正２】
【補正対象書類名】明細書
【補正対象項目名】０００８
【補正方法】変更
【補正の内容】
【０００８】
[適用例１]
複数の保留アイコンを表示可能な表示手段を備えた遊技機であって、
各保留アイコンが表示されるそれぞれの表示領域に第１の表示と第２の表示の一方を表示可能であり、
前記第１の表示が表示されている前記表示領域には、前記保留アイコンが表示可能であり、
前記第２の表示が表示されている前記表示領域では、前記保留アイコンが見えなくなり、
前記第１の表示が表示されている２つの前記表示領域のそれぞれに前記保留アイコンが表示された後、前記２つの表示領域のうち、一方の表示領域で前記保留アイコンの表示が継続している状態で、前記２つの表示領域のうち、他方の表示領域において、前記表示領域の表示が前記第１の表示から前記第２の表示に切り替わり、前記保留アイコンが見えなくなる第１の演出と、
前記第１の演出の後、前記一方の表示領域で前記保留アイコンの表示が継続している状態で、前記他方の表示領域の表示が前記第２の表示から前記第１の表示に切り替わり、見えなくなった前記保留アイコンが特別な態様となって再度表示される第２の演出と、を実行可能な
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、保留アイコンであり、
前記複数種類の画像のうちの一つは、特定の対象を表す特定画像であり、
前記保留アイコンを１又は複数表示可能な保留表示領域を前記表示手段の第１の位置に配置した状態で、第２の位置に前記特定画像が表示される第１の演出と、前記保留表示領域を前記第１の位置から前記表示手段の外に向かって第１の方向に移動させて見えなくするとともに、前記特定画像が前記第１の方向とは異なる第２の方向に移動して前記第２の位置から前記第１の位置に移動する第２の演出と、を実行可能な
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、保留アイコンであり、
前記複数種類の画像のうちの一つは、特定の対象を表す特定画像であり、
前記保留アイコンを１又は複数表示可能な保留表示領域を前記表示手段の第１の位置に配置した状態で、第２の位置に前記特定画像が表示される第１の演出と、前記保留表示領域を前記第１の位置から前記表示手段の外に向かって第１の方向に移動させて見えなくするとともに、前記特定画像が前記第１の方向とは異なる第２の方向に移動して前記第２の位置から前記第１の位置に移動する第２の演出と、を実行可能な
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数の保留アイコンを表示可能な表示手段を備えた遊技機であって、
前記表示手段の下方に位置し各保留アイコンが表示されるそれぞれの表示領域に第１の表示と第２の表示の一方を表示可能であり、
前記第１の表示が表示されている前記表示領域には、前記保留アイコンが表示可能であり、
前記第２の表示が表示されている前記表示領域では、前記保留アイコンが見えなくなり、
前記第１の表示が表示されている前記表示領域に前記保留アイコンが先読み演出されていない通常の態様で表示された後、前記表示領域の表示が前記第１の表示から前記第２の表示に切り替わり、前記保留アイコンが見えなくなる第１の演出と、
前記第１の演出の後、前記表示領域の表示が前記第２の表示から前記第１の表示に切り替わり、見えなくなった前記保留アイコンが先読み演出された特別な態様となって再度表示される第２の演出と、を実行可能な
ことを特徴とする遊技機。
【手続補正２】
【補正対象書類名】明細書
【補正対象項目名】０００８
【補正方法】変更
【補正の内容】
【０００８】
[適用例１]
複数の保留アイコンを表示可能な表示手段を備えた遊技機であって、
前記表示手段の下方に位置し各保留アイコンが表示されるそれぞれの表示領域に第１の表示と第２の表示の一方を表示可能であり、
前記第１の表示が表示されている前記表示領域には、前記保留アイコンが表示可能であり、
前記第２の表示が表示されている前記表示領域では、前記保留アイコンが見えなくなり、
前記第１の表示が表示されている前記表示領域に前記保留アイコンが先読み演出されていない通常の態様で表示された後、前記表示領域の表示が前記第１の表示から前記第２の表示に切り替わり、前記保留アイコンが見えなくなる第１の演出と、
前記第１の演出の後、前記表示領域の表示が前記第２の表示から前記第１の表示に切り替わり、見えなくなった前記保留アイコンが先読み演出された特別な態様となって再度表示される第２の演出と、を実行可能な
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】